(57)【要約】【課題】組立作業を容易とするグロメットを提供する。【解決手段】グロメット１は、一体的に円筒状をなしたシリコーン樹脂よりなる。グロメット１は、小径部１１、大径部１２、及び小径部１１と大径部１２とを連結してハウジング３の孔３１の内縁部を嵌合するための嵌合部１３よりなる。グロメット１の軸方向の円周状に１２０°づつずれた導線孔１４−１、１４−２、１４−３が設けられている。導線孔１４−１、１４−２、１４−３の内部には、止水用、滑り止め用としての凸部１４−１ａ、１４−２ａ、１４−３ａが設けられている。【選択図】  図３
2018198125.tif 000002
【特許請求の範囲】
【請求項１】
複数の導線を挿入するための複数の導線孔を設けたグロメット。
【請求項２】
前記複数の導線孔は前記グロメットの軸方向の円周上に配置された請求項１に記載のグロメット。
【請求項３】
前記複数の導線孔は等間隔で配置された請求項１に記載のグロメット。
【請求項４】
前記各導線孔の内面に凸部を設けた請求項１〜３のいずれかに記載のグロメット。
【発明の詳細な説明】
【技術分野】
【０００１】
本発明は導線等を貫通させてハウジング等に取付けるためのグロメットに関する。
【背景技術】
【０００２】
一般に、ハウジング内に導線等を配線するために、ハウジングに孔を開け、グロメットに導線を貫通させ、ハウジングの孔の内縁部にグロメットを嵌め込むことにより、ハウジングの孔の振動等から導線を保護する。
【０００３】
図７は従来のグロメットを示し、（Ａ）は側面図、（Ｂ）は（Ａ）のＢ−Ｂ線断面図である（参照：特許文献１の図１）。
【０００４】
図７において、グロメット１００は一体的に円筒状に形成され、絶縁層２００−１ａ、２００−２ａによって被覆された２つの導線２００−１、２００−２を貫通させた上で、ハウジング３００の孔３０１の内縁部に取付けられるものである。グロメット１００は、ハウジング３００の外側に係止されるための大径部１０１、ハウジング３００の内側に係止されるための小径部１０２、大径部１０１と小径部１０２とを連結してハウジング３００の孔３０１の内縁部を嵌合するための嵌合部１０３、大径部１０１の中央部から軸方向に延出された導線保護管１０４によって構成されており、グロメット１００の中心には２つの導線２００−１、２００−２を貫通させるための１つの貫通孔１００ａが設けられている。たとえば、導線２００−１は＋電圧用であり、導線２００−２は−電圧用である。
【先行技術文献】
【特許文献】
【０００５】
【特許文献１】特開２００９−３７８６２号公報（特許第５１１９７９０号公報）
【発明の概要】
【発明が解決しようとする課題】
【０００６】
しかしながら、図７に示す従来のグロメットにおいては、貫通孔１００ａは２つの導線２００−１、２００−２を挿入するように設計されている。従って、１本目の導線２００−１を挿入した後には、貫通孔１００ａに余裕がなくなり、２本目の導線２００−２を挿入しにくくなることがある。特に、貫通孔１００ａが３つ以上の導線たとえば＋電圧用、−電圧用及び調光線用の各導線を挿入できるように設計されていた場合、先に貫通孔に挿入された導線が詰まっていくので、後の導線は挿入しにくくなり、グロメットの組立て時間が増大するという課題がある。
【課題を解決するための手段】
【０００７】
上述の課題を解決するために、本発明に係るグロメットは、複数の導線を挿入するための複数の導線孔を設けたものである。
【発明の効果】
【０００８】
本発明によれば、複数の導線孔を設けたので、１つの導線孔に導線を挿入後も、他の導線孔への導線の挿入は容易であり、従って、グロメットの組立て時間を短縮できる。
【図面の簡単な説明】
【０００９】
【図１】本発明に係るグロメットの実施の形態を示し、（Ａ）は表側斜視図、（Ｂ）は裏側斜視図である。
【図２】図１のグロメットの表面図である。
【図３】図１のグロメットの裏面図である。
【図４】図２、図３のＩＶ−ＩＶ線断面図である。
【図５】導線を挿入したグロメットの図２、図３のＩＶ−ＩＶ線断面図である。
【図６】ハウジングに嵌め込んだグロメットの図２、図３のＩＶ−ＩＶ線断面図である。
【図７】従来のグロメットを示し、（Ａ）は側面図、（Ｂ）は（Ａ）のＢ−Ｂ線断面図である。
【発明を実施するための形態】
【００１０】
図１は本発明に係るグロメットの実施の形態を示し、（Ａ）は表側斜視図、（Ｂ）は裏側斜視図、図２は図１のグロメットの表面図、図３は図１の裏面図、図４は図２、図３のＩＶ−ＩＶ線断面図である。
【００１１】
図１、図２、図３、図４に示すように、グロメット１は、一体的に円筒状をなした長さ約１１．５ｍｍのシリコーン樹脂（硬度４０）よりなる。グロメット１は、直径約９．９ｍｍの小径部１１、直径約１６．２ｍｍの大径部１２、及び小径部１１と大径部１２とを連結して後述のハウジング３の孔３１の内縁部を嵌合するための直径約８．１ｍｍの嵌合部１３よりなる。また、グロメット１の軸方向の直径約４．５ｍｍの円周上に１２０°づつずらして直径約１．３ｍｍの導線孔１４−１、１４−２、１４−３が設けられている。この導線孔１４−１、１４−２、１４−３においては、表面側入口の直径はやや大きくなっており、導線を挿入し易くしている。また、導線孔１４−１、１４−２、１４−３の内部には、止水用、滑り止め用としての凸部１４−１ａ、１４−２ａ、１４−３ａが設けられている。
【００１２】
次に、図５を参照して導線２−１の挿入について説明する。すなわち、絶縁層２−１ａで被覆された導線２−１をグロメット１の導線孔１４−１に挿入すると、導線孔１４−１の凸部１４−１ａに、矢印に示すごとく、外側へ押し戻す圧力が加わる。この結果、他の導線孔１４−２、１４−３に内圧が加わり、導線孔１４−２、１４−３の内径が小さくなり、他の導線が導線孔１４−２、１４−３を通りにくくなることがある。しかし、導線孔１４−１、１４−２、１４−３はグロメット１の径方向に配置されず少しずれているので、他の導線孔１４−２、１４−３に加わる内圧は小さい。従って、この場合、他の導線は依然として導線孔１４−２、１４−３を通り易い。
【００１３】
最後に、図６を参照して導線２−１、２−２、２−３を挿入したグロメット１のハウジング３の孔３１に嵌め込みについて説明する。すなわち、グロメット１の表側からハウジング３の孔３１の内縁部に嵌め込む。この場合、小径部１１の突起部１１ａが変形しかつ大径部１２の突起部１２ａも変形するので、ハウジング３は嵌合部１３に完全に嵌合することになる。
【００１４】
尚、上述の実施の形態においては、導線孔１４−１、１４−２、１４−３は円周上に等間隔に設けられているが、導線孔１４−１、１４−２、１４−３の距離が適切に確保されていれば、必ずしも円周上でなくともよく、等間隔でなくともよい。また、導線孔の数は導線の数に応じて２又は４以上になし得る。さらに、グロメット１の断面形状は、円形断面の外、他の断面形状たとえば楕円形状でもよい。
【００１５】
また、導線２−１、２−２、２−３としては、絶縁層で被覆されたケーブル、ワイヤハーネスを含むとする。
【００１６】
さらに、本発明は上述の実施の形態の自明の範囲のいかなる変更にも適用し得る。
【産業上の利用可能性】
【００１７】
本発明は発光ダイオード（ＬＥＤ）素子を用いた照明灯具、車両用灯具、屋外で用いられる投光器等に利用できる。
【符号の説明】
【００１８】
１：グロメット
１１：小径部
１１ａ：突起部
１２：大径部
１２ａ：突起部
１３：嵌合部
１４−１、１４−２、１４−３：導線孔
１４−１ａ、１４−２ａ、１４−３ａ：凸部
２−１、２−２、２−３：導線
２−１ａ、２−２ａ、２−３ａ：絶縁層
３：ハウジング
３１：孔
【図１】
2018198125.tif 000003
【図２】
2018198125.tif 000004
【図３】
2018198125.tif 000005
【図４】
2018198125.tif 000006
【図５】
2018198125.tif 000007
【図６】
2018198125.tif 000008
【図７】
2018198125.tif 000009